(57)【要約】      （修正有）【課題】家庭内に常備してあるキッチンペーパー等のシート状物を紙皿として使用することが可能なシート体固定ホルダーを提供する。【解決手段】シート体の隅角部を固定し、縁を起き上がらせた状態で保持するシート体固定ホルダー１であって、前記シート体固定ホルダーは、前記シート体の中心部から隅角部に向かって少なくとも３つのアーム部２０を有し、前記アーム部の先端には、前記シート体を固定・保持する固定機構３０が設けられており、前記固定機構は、前記シート体の隅角部を前記アーム部に対して仮固定する固定部３１と、前記固定部が入り込む溝状の切り欠きを有すると共に、鉛直方向に対し回動可能に支持されるホルダー部３２と、を備え、前記固定部によって前記シート体が仮固定されている状態で前記ホルダー部を回動させると、前記固定部の側面と前記ホルダー部との間に前記シート体を挟み込んで保持する。【選択図】図１
0003232463.tif 000002
【実用新案登録請求の範囲】
【請求項１】
シート体の隅角部を固定すると共に、前記シート体の縁を起き上がらせた状態で保持するシート体固定ホルダーであって、
前記シート体固定ホルダーは、
前記シート体の中心部から隅角部に向かって少なくとも３つのアーム部を有し、
前記アーム部の先端には、前記シート体を固定・保持する固定機構が設けられており、
前記固定機構は、前記シート体の隅角部を前記アーム部に対して仮固定する固定部と、
前記固定部が入り込む溝状の切り欠きを有すると共に、鉛直方向に対し回動可能に支持されるホルダー部と、を備え、
前記固定部によって前記シート体が仮固定されている状態で前記ホルダー部を回動させると、前記固定部の側面と前記ホルダー部との間に前記シート体を挟み込んで保持することを特徴とするシート体固定ホルダー。
【請求項２】
各アーム部は、相互に回動可能に結合されており、前記アーム部を折りたたんで収納することができることを特徴とする請求項１記載のシート体固定ホルダー。
【請求項３】
前記シート体固定ホルダーは、一対の開閉アームを備えたシワ取機構を有しており、
前記開閉アームは、前記ホルダー部の回動に伴って開状態になり、前記シート体の隅角部を開いて抑えることを特徴とする請求項１記載のシート体固定ホルダー。
【請求項４】
前記開閉アームは、スプリングによって閉状態に付勢されていることを特徴とする請求項３記載のシート体固定ホルダー。
【請求項５】
シート体の隅角部を固定すると共に、前記シート体の縁を起き上がらせた状態で保持するシート体固定ホルダーであって、
前記シート体固定ホルダーは、
錘として機能するベース部と、
前記ベース部に対して前記シート体の隅角部を仮固定する固定部と、
前記ベース部に対して回動可能に支持され、前記固定部によって前記シート体が仮固定されている状態で鉛直方向へ起立させると、前記固定部の側面との間に前記シート体を挟み込むホルダー部と、
を備えたことを特徴とするシート体固定ホルダー。
【考案の詳細な説明】
【技術分野】
【０００１】
本考案は、紙、布等のシート体を簡易に皿形状に形成するシート体固定ホルダーに関する。
【背景技術】
【０００２】
家庭内で食事をする際には、陶器製、ガラス製又は樹脂製等のお皿の代わりとして、紙皿が用いられることがある。特に、野外でバーベキューをする際や、客人を家に招き入れた際に乾き物のお菓子等を提供するときに使用されることが多い。紙皿を使用することで、使用後にその紙皿自体を廃棄することができるため、陶器製のお皿のように使用後の食器洗いが発生しない。そのため、バーベキューをする際や、客人を招き大人数で食事をする際には非常に便利なアイテムである。
【０００３】
市販の紙皿の多くは、１セットに複数枚入っており、耐熱性、耐水性、耐油性等、用途によって異なる特徴を有している。需要者は、必要な枚数、用途に応じた紙皿セットを購入し、使用する。
【先行技術文献】
【特許文献】
【０００４】
【特許文献１】実登３１７１９８７
【特許文献２】実登３１２４３０５
【考案の概要】
【考案が解決しようとする課題】
【０００５】
もっとも、紙皿は、家庭内で日常的に使用するものではなく、客人を招きいれるときに使用する場合が多いため、家に常備しておく必要がない。そのため、食器洗いが発生しないというメリットがあるものの、客人を招く度に紙皿を購入するコストや手間が発生してしまうことになる。また、使用後に残った紙皿は、家で保管しておくことになるため、収納スペースを圧迫することになる。従って、家庭内に常備しているもので紙皿に代用することができれば非常に便利である。
【課題を解決するための手段】
【０００６】
本考案はこのような課題に鑑みてなされたものであり、その目的とするところは、家庭内に常備してあるキッチンペーパー等のシート状物を紙皿として使用することが可能なシート体固定ホルダーを提供することにある。
【０００７】
すなわち、本考案は、シート体の隅角部を固定すると共に、前記シート体の縁を起き上がらせた状態で保持するシート体固定ホルダーであって、前記シート体固定ホルダーは、前記シート体の中心部から隅角部に向かって少なくとも３つのアーム部を有し、前記アーム部の先端には、前記シート体を固定・保持する固定機構が設けられており、前記固定機構は、前記シート体の隅角部を前記アーム部に対して仮固定する固定部と、前記固定部が入り込む溝状の切り欠きを有すると共に、鉛直方向に対し回動可能に支持されるホルダー部と、を備え、前記固定部によって前記シート体が仮固定されている状態で前記ホルダー部を回動させると、前記固定部の側面と前記ホルダー部との間に前記シート体を挟み込んで保持することを特徴とする。
【考案の効果】
【０００８】
このように構成される本考案によれば、シート体の隅角部を固定部によってアーム部に対して仮固定し、仮固定されたシート体の縁を起き上がらせた状態で保持することができるため、家庭内に常備しているキッチンペーパー等のシート体を紙皿代わりとして使用することができる。そのため、客人を招く際に紙皿を購入する必要がないため、コストや手間を排除することができる。また、市販の紙皿を常備せずにキッチンペーパー等を紙皿代わりに使用することができるため、収納スペースを圧迫しない。さらに、シート体を紙皿として使用することができるため、従来の紙皿と同様に、使用後の食器洗いが発生しない。
【図面の簡単な説明】
【０００９】
【図１】本考案を適用した第一実施形態のシート体固定ホルダーの斜視図である。
【図２】本考案を適用した第一実施形態のシート体固定ホルダーにシート体を固定・保持した斜視図である。
【図３】第一実施形態の固定機構において、シート体を固定していない状態を示す図である。
【図４】第一実施形態の固定機構において、シート体を固定している状態を示す図である。
【図５】第一実施形態のシート体固定ホルダーにシート体を固定・保持した状態における固定機構の拡大図である。
【図６】本考案を適用した第二実施形態の固定機構の側面図である。
【図７】第二実施形態の固定機構の平面図である。
【図８】第二実施形態のシワ取機構を示す斜視図である。
【図９】第二実施形態の固定部を回動させた状態を示す図であり、（ａ）は側面図であり、（ｂ）は平面図である。
【図１０】第二実施形態のシート体固定ホルダーの固定状態を示す図であり、（ａ）は側面図であり、（ｂ）は平面図である。
【図１１】ホルダー部の変形例を示す図である。
【考案を実施するための形態】
【００１０】
以下、添付図面を用いて本考案を適用したシート体固定ホルダーの実施形態を詳細に説明する。
【００１１】
図１及び図２は、本考案を適用したシート体固定ホルダーの実施形態の一例を示すものである。図１は、シート体固定ホルダー１がシート体を固定・保持していない状態を示し、図２は、前記シート体固定ホルダー１がシート体を固定・保持している状態を示すものである。当該シート体固定ホルダー１は、シート体を紙皿の代わりとして使用することができる。そのため、客人を招き、お菓子を提供する際等に使用することができる。
【００１２】
前記シート体固定ホルダー１は、シート体５０と、アーム部２０と、固定機構３０と、から構成されている。前記シート体５０は、シート状のものであれば良い。例えば、キッチンペーパー、ティッシュペーパー、ハンカチ、折り紙等が挙げられる。なお、本実施形態では、キッチンペーパーを使用している。前記シート体５０は、後述する固定機構３０によって、前記アーム部２０に対して固定されている。
【００１３】
前記アーム部２０は、前記シート体５０の隅角部に向かって放射状に延びている。本実施形態のシート体５０は、四角形で構成されているため、前記アーム部２０は、アーム部２０ａ〜２０ｄの４本で構成されている。前記アーム部２０は、前記シート体５０の隅角部に向かって構成されていれば、３本のアーム部２０で構成されていても良い。例えば、三角形のシート体５０の場合、前記アーム部２０は３本で良い。なお、前記シート体固定ホルダー１は、キッチンペーパー等のシート体５０を紙皿の代わりとして使用するものであるため、少なくとも３本のアーム部が必要であり、望ましくは４本であって、５本以上のアーム部が設けられているものであっても良い。
【００１４】
前記アーム部２０の端部底面には、起立脚３３が設けられている。これにより、前記アーム部２０をテーブル面等から離すことができるため、シート体５０が直接テーブル面に接することがなく、衛生上好ましい。
【００１５】
前記アーム部２０ａ、２０ｂ、２０ｃ、及び２０ｄは、前記シート体５０の中心の結合部４０で結合されている。また、本実施形態の各アーム部２０は、前記結合部４０の結合ピン４１によって回動可能に設けられている。これにより、前記アーム部２０を放射状に展開して広げることができる。また、前記シート体固定ホルダー１の夫々のアーム部を平行にまとめて収納することができ、収納スペースを抑えることができる。なお、前記アーム部２０は、折り畳み式や伸縮可能な構成にしても良い。これにより、様々な大きさのシート体に合わせて前記シート体固定ホルダー１を使用することができる。
【００１６】
前記アーム部２０には、固定機構３０が設けられている。図３及び図４に示すように、前記固定機構３０は、固定部３１と、ホルダー部３２と、固定マグネット３４と、から構成されている。前記固定部３１は、蝶番を介して前記アーム部２０の最端部に設けられているため、前記蝶番を支点として鉛直方向に回動可能に設けられている。前記固定部３１は、先端に磁性体３５を有している。なお、前記固定部３１は、全部が前記磁性体３５から構成されるものであっても良い。また、前記固定部３１は、スポンジ等の弾性体により形成されている。そのため、後述するホルダー部３２を前記固定部３１に沿って回動させたときに、前記ホルダー部３２が前記固定部３１を圧接することによって任意の位置で係止させることができる。なお、本実施形態において前記固定部３１は、弾性体から構成されているが弾性力のない硬い材質であっても良い。この場合、クッション効果のあるテープ等を前記固定部３１の側面に貼ると良い。
【００１７】
これにより、前記固定部３１は、前記シート体５０の中心部に向かって回動させたときに、前記固定部３１に設けられた前記磁性体３５と前記アーム部２０に設けられた固定マグネット３４が吸着することによって、前記アーム部２０に対して前記シート体５０を仮固定する。すなわち、前記固定部３１は、図３の開放位置から図４の仮固定位置に変化する。前記シート体５０を置いた状態で前記固定部３１を仮固定位置に変化させると、前記シート体５０の隅角部を前記アーム部２０との間で仮固定する。本考案では、四角形のシート体５０を使用しているため、４か所の隅角部を仮固定する。
【００１８】
前記アーム部２０の端部には、底部に設けられた蝶番を介し、Ｕ字状に形成された溝状の切り欠きを有するホルダー部３２が設けられている。前記ホルダー部３２の切り欠きは、前記固定部３１が入り込むことができれば環状であっても良い。前記ホルダー部３２は、前記アーム部２０に対し、鉛直方向に回動可能に設けられている。前記ホルダー部３２の蝶番は、前記固定部３１と前記固定マグネット３４との間であり、かつ、前記固定マグネット３４の近傍に設けられている。これにより、前記ホルダー部３２は、前記固定部３１の側面に沿って回動することができる。そのため、前記固定部３１によって前記シート体５０の隅角部を仮固定した状態で、前記ホルダー部３２を回動させると、前記シート体５０が前記固定部３１と前記ホルダー部３２との間に挟まれる。前述のとおり、前記ホルダー部３２は、前記シート体５０の中心部に向かって回動させた際に、任意の位置で固定させることができるが、約９０度で係止するようなストッパーを設けても良い。なお、前記ホルダー部３２は、前記固定部３１に沿って回動させたときに前記固定部３１が入り込む隙間があれば、切り欠きを設けた板等、適宜設計変更可能である。
【００１９】
前記固定機構３０は、前記アーム部２０に設けられていない独立の構成であっても良い。例えば、四角形のシート体５０を固定する場合は、独立した前記固定機構３０を４つ用意し、前記シート体５０の４つの隅角部に対し固定機構３０を取り付ける。この場合、前記アーム部２０に代えて、錘として機能するベース部を設けると良い。これにより、前記シート体５０を前記固定部３１によって仮固定する際に、前記シート体５０をベース部の重さで一定の位置に保持することができる。
【００２０】
次に、第一実施形態のシート体固定ホルダー１の使用方法について説明する。
【００２１】
まず、図１に示すように、アーム部２０を回動させ、放射状に展開する。
【００２２】
次に、図３に示すように、シート体５０の隅角部を前記アーム部２０の端部に乗せた後に、前記固定部３１を前記シート体５０の中心部に向かって回動させる。これにより、図４に示すように、前記固定部３１が固定マグネット３４に吸着し、前記固定部３１と前記固定マグネット３４に挟まれた前記シート体５０の隅角部を仮固定する。これを、前記シート体５０の隅角部全てに対して行う。
【００２３】
前記シート体５０が前記シート体固定ホルダー１に仮固定されたら、ホルダー部３２を前記シート体５０の中心部に向かって回動させる。前記ホルダー部３２を回動させることで、図５に示すように、前記固定部３１で仮固定したシート体の隅角部を前記固定部３１と前記ホルダー部３２との間に挟み込み、前記シート体５０の外周縁を起き上がらせることができる。これを、前記シート体５０の隅角部全てに対し行うことで、図２に示すような紙皿状に形成することができる。これにより、前記シート体５０を紙皿の代わりとして使用することができる。
【００２４】
以上のように構成された第一実施形態のシート体固定ホルダー１によれば、客人を招く際等の紙皿を使用したい場合で、家庭内に常備してあるキッチンペーパー、ティッシュペーパー、ハンカチ等のシート体を紙皿の代わりとして使用することができる。そのため、招き入れた客人に対しお菓子等を提供する際に、紙皿を購入する手間やコストを排除することができる。また、前記シート体固定ホルダー１のアーム部２０を回動させることでコンパクトに収納できるため、紙皿を常備しておく分の収納スペース確保することができる。さらに、通常の紙皿と同様、紙皿の使用後キッチンペーパー等を廃棄することができるため、使用後の食器洗いの手間を省くことができる。また更に、紙皿代わりにキッチンペーパーを使用すれば、廃棄するときに嵩張らないため、バーベキューの際に重宝する。
【００２５】
図６〜図１０は、本考案を適用した第二実施形態を示す図である。図６は、固定機構３０を側面から視た図である。図７は、固定機構３０を上面から視た図である。図８は、シワ取機構を示す斜視図である。
【００２６】
第二実施形態のシート体固定ホルダー１０１は、第一実施形態のシート体固定ホルダー１と、シワ取機構を設けている点以外は同じであるため、同一の構成部分についてはその詳細な説明を省略する。
【００２７】
前記シート体固定ホルダー１０１は、シワ取機構６０を有している。前記シワ取機構６０は、一対の開閉アーム７０ａ及び７０ｂから構成されている。図８に示すように、前記開閉アーム７０ａ及び７０ｂは、互いに交差している。前記開閉アーム７０は、操作レバー６１と、開閉バー６２と、連結軸６３と、を備えている。図６に示すように、前記連結軸６３は、前記固定部１３１の前端面に水平方向に対して回動可能に設けられている。前記開閉アーム７０の上方には、操作レバー６１ａ及び６１ｂの２本が設けられている。前記操作レバー６１は、軸方向が前記固定部１３１の外側に向かうように設けられている。そのため、前記ホルダー部１３２をシート体１５０の中心部に向かって回動させることで、前記操作レバー６１と前記ホルダー部１３２が干渉する構成となっている。
【００２８】
前記操作レバー６１は、スプリング６４を介して支持されている。前記スプリング６４は、前記操作レバー６１を前記アーム部１２０の端部に向かって引っ張っている。これにより、前記操作レバー６１には、常時弾性力が加えられている。
【００２９】
前記開閉バー６２は、前記開閉アーム７０の連結軸６３を介して前記開閉アーム７０の下方に設けられている。そのため、前記開閉バー６２ａは、前記操作レバー６１ａと連動しており、前記開閉バー６２ｂは、前記操作レバー６１ｂと連動している。図７に示すように、前記開閉バー６２は、閉状態のときに前記アーム部１２０の軸方向と平行になっている。前記開閉バー６２の閉状態において、シート体１５０は、前記開閉バー６２と前記アーム部１２０との間に挟まれている。図７右側の一点鎖線のシート体１５０は、前記シート体１５０を前記固定部１３１で固定した状態を示すものである。一方、図７左側の二点鎖線のシート体１５０は、ホルダー部１３２によって前記シート体１５０の縁を起き上がらせた状態を示す。
【００３０】
図８に示すように、前記開閉バー６２ａは、前記操作レバー６１ａをシート体１５０の中心部の方向Ａに向かって押圧すると、前記アーム部１２０の外側方向Ｂに向かって開く。他方、前記開閉バー６２ｂは、操作レバー６２ｂを前記シート体１５０の中心部の方向Ａに向かって押圧すると、前記アーム部１２０の外側方向Ｃに向かって開く。これにより、前記開閉アーム７０は、前記シート体５０の隅角部を外側に向かって抑える。前記開閉バー６２の開閉角度は、約４５度が好ましい。第二実施形態では、四角形のシート体を用いているため、開閉角度を約４５度に設定すると、前記開閉バー６２の軸方向が隣接するアーム部１２０の方向に向くことになる。これにより、紙皿形成時の形を綺麗に整えることができる。なお、三角形のシート体を用いる場合は、前記開閉バー６２の開閉角度を約３０度に設定すると良い。
【００３１】
次に、第二実施形態のシート体固定ホルダーの使用方法について説明する。
【００３２】
まず、収納状態のシート体固定ホルダー１０１のアーム部１２０を放射状に展開し、シート体１５０の隅角部が前記アーム部１２０の端部に乗るように前記シート体１５０を前記シート体固定ホルダー１０１の上に置く。この時のシート体１５０は、図７右側に示す一点鎖線の状態である。そして、前記シート体１５０を置いた後に、前記固定部１３２を前記シート体１５０の中心部に向かって回動させ、前記シート体１５０を前記シート体固定ホルダー１０１に対し仮固定する。この時のシート体１５０は、図７左側に示す二点鎖線の状態である。この工程を、前記シート体１５０の隅角部全てに対して行う。この際、前記操作レバー６１には、前記スプリング６４の弾性力のみが働いている。
【００３３】
次に、図９に示すように、前記ホルダー部１３２を前記シート体１５０の中心部に向かって回動係止させる。前記ホルダー部１３２を回動させると、前記ホルダー部１３２は前記固定部１３１を挟み込んでおり、かつ、前記固定部１３１に沿って回動するため、軸方向が前記固定部１３１の外側に向かって設けられている前記操作レバー６１ａ及び６１ｂを前記シート体５０の中心部に向かって押圧することになる。これにより、前記操作レバー６１が操作され、開閉バー６２ａ及び６２ｂは開状態になる。そして、前記開閉バー６２ａ及び６２ｂは、前記アーム部１２０から外側に対し約４５度開く。これにより、前記固定部１３１によって固定したシート体１５０の隅角部を開いて抑えることができる。
【００３４】
使用後は、前記ホルダー部１３２を前記アーム部１２０の端部の方向に回動させた後に、前記固定部１３２についても前記ホルダー部１３２と同じ方向に回動させる。これにより、前記シート体１５０の固定状態が解除される。この際、前記操作レバー６１は、前記スプリング６４によって前記アーム部１２０の端部の方向に引っ張られている。そのため、前記操作レバー６１の連結軸に設けられた前記開閉バー６２は、操作前の状態、すなわち、角度が０度の閉状態に自動的に戻る。
【００３５】
以上のように構成された第二実施形態のシート体固定ホルダー１０１によれば、シート体１５０の隅角部を９０度で固定することができるため、シート体１５０の内側のシワを延ばすことができる。そのため、第一実施形態と比べて、より深い紙皿をキッチンペーパー等で形成することができる。従って、キッチンペーパー等のシート体を紙皿として使用する場合に、より底が深く使いやすい紙皿を使用することができる。
【００３６】
なお、図１１に示すように、前記ホルダー部３２の別の形態として、前記固定部３１の両側面から前記固定部３１の方向に向かって回動させる一対のホルダー部３２から構成されるものであっても良い。この場合、一対の前記ホルダー部３２は、各ホルダー部３２を個別に回動させて前記シート体５０の隅角部を持ち上げる。
【符号の説明】
【００３７】
１…シート体固定ホルダー、２０…アーム部、３０…固定機構、３１…固定部、３２…ホルダー部、５０…シート体、６０…シワ取機構、６１…操作レバー、６２…開閉バー、６３…連結軸、７０…開閉アーム
【図１】
0003232463.tif 000003
【図２】
0003232463.tif 000004
【図３】
0003232463.tif 000005
【図４】
0003232463.tif 000006
【図５】
0003232463.tif 000007
【図６】
0003232463.tif 000008
【図７】
0003232463.tif 000009
【図８】
0003232463.tif 000010
【図９】
0003232463.tif 000011
【図１０】
0003232463.tif 000012
【図１１】
0003232463.tif 000013
【手続補正書】
【提出日】令和3年3月31日(2021.3.31)
【手続補正１】
【補正対象書類名】実用新案登録請求の範囲
【補正対象項目名】全文
【補正方法】変更
【補正の内容】
【実用新案登録請求の範囲】
【請求項１】
シート体の隅角部を固定すると共に、前記シート体の縁を起き上がらせた状態で保持するシート体固定ホルダーであって、
前記シート体固定ホルダーは、
前記シート体の中心部から隅角部に向かって少なくとも３つのアーム部を有し、
前記アーム部の先端には、前記シート体を固定・保持する固定機構が設けられており、
前記固定機構は、前記シート体の隅角部を前記アーム部に対して仮固定する固定部と、
前記固定部が入り込む溝状の切り欠きを有すると共に、鉛直方向に対し回動可能に支持されるホルダー部と、を備え、
前記固定部によって前記シート体が仮固定されている状態で前記ホルダー部を回動させると、前記固定部の側面と前記ホルダー部との間に前記シート体を挟み込んで保持し、前記シート体の外周縁を起き上がらせることを特徴とするシート体固定ホルダー。
【請求項２】
各アーム部は、相互に回動可能に結合されており、前記アーム部を折りたたんで収納することができることを特徴とする請求項１記載のシート体固定ホルダー。
【請求項３】
前記シート体固定ホルダーは、一対の開閉アームを備えたシワ取機構を有しており、
各開閉アームは、
前記ホルダー部を回動させた際に、前記ホルダー部と干渉する操作レバーと、
前記操作レバーと一体的に設けられていると共に、前記操作レバーと前記ホルダー部との干渉に伴って前記アーム部から離れて拡開する開閉バーと、
を備え、
前記ホルダー部の回動により前記シート体の外周縁を起き上がらせた際に、前記一対の開閉バーが、起き上がった前記シート体の根本を抑えることを特徴とする請求項１記載のシート体固定ホルダー。
【請求項４】
前記開閉アームは、スプリングによって閉状態に付勢されていることを特徴とする請求項３記載のシート体固定ホルダー。
【請求項５】
シート体の隅角部を固定すると共に、前記シート体の縁を起き上がらせた状態で保持するシート体固定ホルダーであって、
前記シート体固定ホルダーは、
錘として機能するベース部と、
前記ベース部に対して前記シート体の隅角部を仮固定する固定部と、
前記ベース部に対して回動可能に支持され、前記固定部によって前記シート体が仮固定されている状態で鉛直方向へ起立させると、前記固定部の側面との間に前記シート体を挟み込むホルダー部と、
を備えたことを特徴とするシート体固定ホルダー。